(57)【特許請求の範囲】
【請求項１】
使用者によって操作されることで、レベルの設定を行うレベル設定部材と、
前記使用者によってロック状態となるように操作されることで、前記レベル設定部材と係合して、前記レベル設定部材の操作をロックするロック部材と、
前記ロック部材と前記レベル設定部材とが係合するよりも前に、前記ロック部材が前記ロック状態となるように操作されたことを検出する検出手段と、
前記ロック部材が前記ロック状態となるように操作されたことを前記検出手段が検出してから、前記ロック部材と前記レベル設定部材とが係合するまでの間に、前記レベル設定部材によって設定されるレベルを、前記ロック部材が前記ロック状態となるように操作されたことを前記検出手段が検出したときに、前記レベル設定部材によって設定されているレベルに固定するとともに、前記レベル設定部材による前記レベルの設定を無効化し、前記ロック状態が解除されるように前記ロック部材が操作されたことを前記検出手段が検出した後、前記レベル設定部材による前記レベルの設定を有効化して、前記レベル設定部材が操作される際に、前記レベルの固定を解除する制御手段と、を有することを特徴とする電子機器。
【請求項２】
前記レベル設定部材には第１のギア部が形成され、前記ロック部材には前記第１のギア部と噛合する第２のギア部が形成され、前記ロック部材が操作されることで、前記第１のギア部と前記第２のギア部とが噛合して、前記レベル設定部材の操作をロックすることを特徴とする請求項１に記載の電子機器。
【請求項３】
前記レベル設定部材は回転操作によって前記レベルの設定を行う部材であって、前記ロック部材は、前記レベル設定部材の回転中心と同心円上で回動操作されるロック操作部材と、前記第２のギア部が形成され、前記第１のギア部と噛合する状態と、前記第１のギア部と噛合しない状態に変位する係止ロック部材から構成されることを特徴とする請求項２に記載の電子機器。
【発明の詳細な説明】
【技術分野】
【０００１】
本発明は、電子機器に関するものである。特に使用者によって操作されることで、レベルの設定を行うレベル設定部材と、使用者によってロック状態となるように操作されることで、レベル設定部材と係合して、レベル設定部材の操作をロックするロック部材とを備える電子機器に関するものである。
【背景技術】
【０００２】
従来、電子機器の外観面に露出したボリュームつまみを操作することで、録音レベルを調整することが知られている。また、録音レベルを調整した後、ボリュームつまみに触れたとしても、調整した録音レベルが変化してしまわないように、ボリュームつまみをロックする機構を設けることも知られている。（特許文献１参照）
【先行技術文献】
【特許文献】
【０００３】
【特許文献１】特開平９−１０２７３２号公報
【発明の概要】
【発明が解決しようとする課題】
【０００４】
しかしながら、ボリュームつまみをロックする際に、ボリュームつまみがわずかに動いてしまって、調整した録音レベルが変化してしまうことがある。
【０００５】
例えば、特許文献１に記載されるロック機構では、ボリュームつまみと、ボリュームつまみをロックするロック部材の両方に凹凸形状を形成して、２つの凹凸形状を噛み合わせることで、ボリュームつまみをロックしている。ロック部材がボリュームつまみをロックする際に、ボリュームつまみの凸形状とロック部材の凸形状とが噛み合おうとする場合には、ボリュームつまみの凹形状とロック部材の凸形状とが噛み合うように、ボリュームつまみが動いてしまう。
【０００６】
このように、ボリュームつまみがわずかに動いてしまうことで、調整した録音レベルが変化してしまう。
【０００７】
本発明の目的は、レベルの設定を行うレベル設定部材に、ロック部材を係合させることで、レベル設定部材の操作を規制したとしても、レベル設定部材とロック部材との係合によって、設定したレベルが変化しない電子機器を提供することにある。
【課題を解決するための手段】
【０００８】
本発明の電子機器は、使用者によって操作されることで、レベルの設定を行うレベル設定部材と、前記使用者によってロック状態となるように操作されることで、前記レベル設定部材と係合して、前記レベル設定部材の操作をロックするロック部材と、前記ロック部材と前記レベル設定部材とが係合するよりも前に、前記ロック部材が前記ロック状態となるように操作されたことを検出する検出手段と、前記ロック部材が前記ロック状態となるように操作されたことを前記検出手段が検出してから、前記ロック部材と前記レベル設定部材とが係合するまでの間に、前記レベル設定部材によって設定されるレベルを、前記ロック部材が前記ロック状態となるように操作されたことを前記検出手段が検出したときに、前記レベル設定部材によって設定されているレベルに固定するとともに、前記レベル設定部材による前記レベルの設定を無効化し、前記ロック状態が解除されるように前記ロック部材が操作されたことを前記検出手段が検出した後、前記レベル設定部材による前記レベルの設定を有効化して、前記レベル設定部材が操作される際に、前記レベルの固定を解除する制御手段と、を有することを特徴とする。
【発明の効果】
【０００９】
本発明によれば、レベルの設定を行うレベル設定部材に、ロック部材を係合させることで、レベル設定部材の操作を規制したとしても、レベル設定部材とロック部材との係合によって、設定したレベルが変化しない。
【図面の簡単な説明】
【００１０】
【図１】本発明の実施形態におけるビデオカメラ１の斜視図である。
【図２】録音レベル設定ダイアル２近傍を拡大した図である。
【図３】外装カバー７を省略した状態で録音レベル設定ダイアル２近傍を拡大した図である。
【図４】図３に示す状態から、さらにロック操作部材５を省略した状態を示す図である。
【図５】図３のＡ方向から見た斜視図である。
【図６】ロックノブ５ａをマニュアルポジションからロックポジションに操作した場合およびロックノブ５ａをロックポジションからマニュアルポジションに操作した場合の動作を説明するタイミングチャートである。
【発明を実施するための形態】
【００１１】
以下に、本発明の実施形態を図１〜図６を用いて説明する。
【００１２】
図１は、本実施形態における電子機器の一例として、回転操作することで録音レベルを設定するレベル設定部材としての録音レベル設定ダイアルを設けたビデオカメラの斜視図である。図１において、１はビデオカメラ、２は録音レベル設定ダイアルである。ビデオカメラ１は２つの録音レベル設定ダイアル２を有し、マイク３のチャンネル１とチャンネル２の録音レベルをそれぞれ独立して調整することができるようになっている。
【００１３】
図２は、録音レベル設定ダイアル２近傍を拡大した図である。ビデオカメラ１は２つの録音レベル設定ダイアルを有しているが、どちらも同じ構成であるため、ここでは便宜上１つの録音レベル設定ダイアルについて説明する。録音レベル設定ダイアル２は、ビデオカメラ１の使用者が予め決められた範囲で回転操作することができるように構成されている。録音レベル設定ダイアル２は、基板１２に実装される回転ボリュームに圧入等で固定されており、録音レベル設定ダイアル２を回すことで回転ボリュームが回り、録音レベルを設定することができる。すなわち、使用者が録音レベル設定ダイアル２上に標記された録音レベル（ここでは０から１０）を指標４に合わせることで、ユーザーが意図した録音レベルに設定することができる。
【００１４】
録音レベル設定ダイアル２の近傍には、録音レベル設定ダイアル２の回転中心と同心円上で回動操作されるロック部材の一部であるロック操作部材５が設置されている。ロック操作部材５に形成されるロックノブ５ａをロックノブポジション指標６ａ〜６ｃに示す３つのポジションに移動可能である。ロックノブポジション指標６ａの「Ａ」はオートポジションを意味している。ロックノブ５ａが「Ａ」のポジションにあるときは録音レベルの設定を自動で行うことができる。このとき、録音レベル設定ダイアル２による録音レベルの設定は無効化され、録音レベル設定ダイアル２の回転位置に対応する録音レベルの設定はされない。
【００１５】
ロックノブポジション指標６ｂの「Ｍ」はマニュアルポジションを意味している。ロックノブ５ａがマニュアルポジションにあるときは、録音レベル設定ダイアル２による録音レベルの設定は有効化され、録音レベル設定ダイアル２の回転位置に対応する録音レベルの設定が行われる。
【００１６】
ロックノブポジション指標６ｃの鍵マークは録音レベル設定ダイアル２をロックするロック状態としてのロックポジションを意味している。ロックノブ５ａがロックポジションにあるときは、録音レベル設定ダイアル２をロックして、録音レベル設定ダイアル２の回転を規制するとともに、ロックノブ５ａがマニュアルポジションにあるときに設定した録音レベルを電気的に固定することが可能である。録音レベル設定ダイアル２およびロック操作部材５はともに、ビデオカメラ１の外装カバー７に取り付けられている。
【００１７】
録音レベル設定ダイアル２およびその周囲の構成について、図３〜図５を用いて詳細に説明する。
【００１８】
図３は外装カバー７を省略した状態で録音レベル設定ダイアル２近傍を拡大した図である。図３に示すように、ばね８が球９を図３の矢印Ｐの方向に付勢し、球９がロックノブ溝部５ｂと係合することによって、ロック操作部材５にクリック感を与えるとともに、ロックノブ５ａがロックノブポジション指標６ａ〜６ｃの各ポジションで保持される。
【００１９】
なお、図３に示す状態は、ロックノブ５ａがオートポジションに位置しているときの状態である。図３に示す状態から、さらにロック操作部材５を省略した状態を図４に示す。図４に示すように、ロック操作部材５の下には、ロック操作部材５が回動操作されたことを検出するための第１の検出スイッチ１０と第２の検出スイッチ１１が基板１２上に設置されている。
【００２０】
第１の検出スイッチ１０には突起部１０ａが形成されている。ロックノブ５ａがマニュアルポジションからオートポジションに操作されたときに、ロック操作部材５に形成される突起部５ｃが突起部１０ａと当接し、突起部１０ａを押し込むことで、第１の検出スイッチ１０がオンする。第１の検出スイッチ１０がオンすることで、ビデオカメラ１の制御ユニットは、録音レベル設定ダイアル２による録音レベルの設定を無効化するとともに、録音レベルの設定を自動で行うように制御する。
【００２１】
一方、ロックノブ５ａがオートポジションからマニュアルポジションに操作されたときには、第１の検出スイッチ１０の突起部１０ａと、ロック操作部材５に形成される突起部５ｃとの当接が解除されて、第１の検出スイッチ１０はオフする。第１の検出スイッチ１０がオフすることで、ビデオカメラ１の制御ユニットは、録音レベルの自動設定を解除するとともに、録音レベル設定ダイアル２による録音レベルの設定を有効化するように制御する。
【００２２】
第２の検出スイッチ１１には突起部１１ａが形成されている。ロックノブ５ａがマニュアルポジションからロックポジションに操作されたときに、ロック操作部材５に形成される突起部５ｃが突起部１１ａと当接し、突起部１１ａを押し込むことで、第２の検出スイッチ１１がオンする。第２の検出スイッチ１１がオンすることで、ビデオカメラ１の制御ユニットは、第２の検出スイッチ１１がオンしたときに、録音レベル設定ダイアル２によって設定されている録音レベルに固定する。そして、ビデオカメラ１の制御ユニットは、録音レベル設定ダイアル２による録音レベルの設定を無効化するように制御する。
【００２３】
一方、ロックノブ５ａがロックポジションからマニュアルポジションに操作されたときには、第２の検出スイッチ１１の突起部１１ａと、ロック操作部材５に形成される突起部５ｃとの当接が解除されて、第２の検出スイッチ１１はオフする。第２の検出スイッチ１１がオフすることで、ビデオカメラ１の制御ユニットは、録音レベル設定ダイアル２による録音レベルの設定を有効化するように制御する。このとき、録音レベル設定ダイアル２による録音レベルの設定を有効化されるが、録音レベルの固定は解除されず、録音レベル設定ダイアル２が操作されるまで、継続される。
【００２４】
録音レベル設定ダイアル２の外周には外歯形状の第１のギア部２ａが形成されている。ロック部材の一部である係止ロック部材１３には第１のギア部２ａと噛合する内歯形状の第２のギア部１３ａが形成されている。係止ロック部材１３は第２のギア部１３ａが第１のギア部２ａと噛合する状態と、第２のギア部１３ａが第１のギア部２ａと噛合しない状態との間を変位する。第２のギア部１３ａが第１のギア部２ａと噛合する状態となるとき、録音レベル設定ダイアル２がロックされて、録音レベル設定ダイアル２の回転が規制される。したがって、ロック操作部材５および係止ロック部材１３がロック部材として機能する。
【００２５】
係止ロック部材１３は、録音レベル設定ダイアル２、ロック操作部材５、ばね８、球９とともに外装カバー７に組み込まれ、固定されている。
【００２６】
図５に図３のＡ方向から見た斜視図を示す。ロックノブ５ａがマニュアルポジションからオートポジションに操作されると、ロック操作部材５に形成される突起部５ｃが、第１の検出スイッチ１０に形成される突起部１０ａを押し込んで、第１の検出スイッチ１０をオフ状態からオン状態に変化する。ロックノブ５ａがオートポジションからマニュアルポジションに操作されると、ロック操作部材５に形成される突起部５ｃが、第１の検出スイッチ１０に形成される突起部１０ａから離れ、第１の検出スイッチ１０をオン状態からオフ状態に変化する。
【００２７】
ロックノブ５ａがマニュアルポジションからロックポジションに操作されると、ロック操作部材５に形成される突起部５ｃが、第２の検出スイッチ１１に形成される突起部１１ａを押し込んで、第２の検出スイッチ１１をオフ状態からオン状態に変化する。
【００２８】
ロックノブ５ａがマニュアルポジションからロックポジションに操作されて、第２の検出スイッチ１１をオフ状態からオン状態に変化する。その後、ロック操作部材５に形成される当接部５ｄが、係止ロック部材１３に形成される突出部１３ｂに当接し、突出部１３ｂに乗り上げる。係止ロック部材１３の突出部１３ｂは第２のギア部１３ａの外側に形成されている。したがって、ロック操作部材５の当接部５ｄが、係止ロック部材１３の突出部１３ｂに乗り上げることで、第２のギア部１３ａは第１のギア部２ａに向けて変位して、第２のギア部１３ａが第１のギア部２ａと噛合する。
【００２９】
第２のギア部１３ａが第１のギア部２ａと噛合する際に、第２のギア部１３ａの山形状と第１のギア部２ａの谷形状とが完全に一致するとき以外は、録音レベル設定ダイアル２がわずかに回転した後、第２のギア部１３ａが第１のギア部２ａと噛合することになる。
【００３０】
しかし、本実施形態では、第２の検出スイッチ１１は第２のギア部１３ａが第１のギア部２ａと噛合する前にオフ状態からオン状態に変化する。そして、第２の検出スイッチ１１がオフ状態からオン状態に変化するタイミングで、録音レベルをそのときに録音レベル設定ダイアル２によって設定されている録音レベルに固定している。さらに、録音レベル設定ダイアル２による録音レベルの設定を無効化するように制御する。したがって、第２のギア部１３ａが第１のギア部２ａと噛合する際に、録音レベル設定ダイアル２がわずかに回転したとしても、録音レベルが変化してしまうことがない。
【００３１】
ロックノブ５ａがロックポジションからマニュアルポジションに操作されると、ロック操作部材５の当接部５ｄが係止ロック部材１３の突出部１３ｂから滑り落ちて、当接部５ｄと突出部１３ｂとが当接しない状態になる。したがって、第２のギア部１３ａが第１のギア部２ａと噛合しない状態となる。その後、ロック操作部材５に形成される突起部５ｃが、第２の検出スイッチ１１に形成される突起部１１ａから離れ、第２の検出スイッチ１１をオン状態からオフ状態に変化する。第２の検出スイッチ１１がオン状態からオフ状態に変化することで、ビデオカメラ１の制御ユニットは、録音レベル設定ダイアル２による録音レベルの設定を有効化するように制御する。このとき、録音レベル設定ダイアル２による録音レベルの設定を有効化されるが、録音レベルの固定は解除されず、録音レベル設定ダイアル２が操作されるまで、継続される。
【００３２】
仮に、第２の検出スイッチ１１がオン状態からオフ状態に変化したことで、録音レベルの固定を解除してしまうと、ロックノブ５ａをロックポジションからマニュアルポジションに操作したとたん、録音レベルが変化してしまうことになる。つまり、このような構成では、一旦設定した録音レベルがロックノブ５ａの操作によって変化することがないようにするという目的を達すことができない。
【００３３】
本実施形態では、第２の検出スイッチ１１がオン状態からオフ状態に変化したことで、録音レベル設定ダイアル２による録音レベルの設定を有効化し、さらに、録音レベル設定ダイアル２が操作されたタイミングで、録音レベルの固定は解除している。このような構成によって、一旦設定した録音レベルがロックノブ５ａの操作によって変化することがないようにするという目的を達成している。
【００３４】
ロックノブ５ａをマニュアルポジションからロックポジションに操作した場合およびロックノブ５ａをロックポジションからマニュアルポジションに操作した場合の動作を図６のタイミングチャートで説明する。
【００３５】
図６に示すタイミングチャートは、ロックノブ５ａをマニュアルポジションからロックポジションに操作し、ロックポジションからマニュアルポジションに操作した状態を時系列で表している。
【００３６】
まず、ロックノブ５ａをマニュアルポジションからロックポジションに操作したときの状態について述べる。状態ｓ１にて、ロック操作部材５がマニュアルポジションからロックポジションへ移動開始する。状態ｓ２にて、ロック操作部材５の突起部５ｃが第２の検出スイッチ１１の突起部１１ａを押し込み、第２の検出スイッチ１１がオフ状態からオン状態に変化する。第２の検出スイッチ１１がオフ状態からオン状態に変化したことをトリガーにして、録音レベルを、第２の検出スイッチ１１がオフ状態からオン状態に変化したときに、録音レベル設定ダイアル２で設定される録音レベルに固定する。このとき、ビデオカメラ１の制御ユニットは、録音レベル設定ダイアル２による録音レベルの設定を無効化する。
【００３７】
第２の検出スイッチ１１がオフ状態からオン状態に変化した後、ロック操作部材５の当接部５ｄが、係止ロック部材１３に形成される突出部１３ｂに当接し、突出部１３ｂに乗り上げることで、状態ｓ３となる。状態ｓ３では、第２のギア部１３ａが第１のギア部２ａと噛合して、録音レベル設定ダイアル２がロックされて、録音レベル設定ダイアル２の回転が規制される。
【００３８】
このとき、録音レベル設定ダイアル２が回転したとしても、録音レベルに固定し、録音レベル設定ダイアル２による録音レベルの設定を無効化した後であるので、第２のギア部１３ａと第１のギア部２ａと噛合によって、録音レベルが変化することはない。
【００３９】
次に、ロックノブ５ａをロックポジションからマニュアルポジションに操作したときの状態について述べる。状態ｓ４にて、ロック操作部材５がロックポジションからマニュアルポジションへ移動開始する。ロック操作部材５の当接部５ｄが係止ロック部材１３の突出部１３ｂから滑り落ちて、当接部５ｄと突出部１３ｂとが当接しない状態ｓ５となる。したがって、状態ｓ５では、第２のギア部１３ａが第１のギア部２ａと噛合しない状態となる。
【００４０】
第２のギア部１３ａと第１のギア部２ａと噛合しない状態となった後、ロック操作部材５に形成される突起部５ｃが、第２の検出スイッチ１１に形成される突起部１１ａから離れ、第２の検出スイッチ１１をオン状態からオフ状態に変化して状態ｓ６となる。状態ｓ６では、第２の検出スイッチ１１がオン状態からオフ状態に変化したことをトリガーにして、ビデオカメラ１の制御ユニットは、録音レベル設定ダイアル２による録音レベルの設定を有効化する。このとき、状態ｓ２で固定された録音レベルは解除されず、録音レベルの固定は継続される。状態ｓ７で、ロックノブ５ａがマニュアルポジションに位置する。このときも録音レベルの固定は継続される。状態ｓ８はロックノブ５ａがマニュアルポジションに位置し、録音レベル設定ダイアル２が回転操作されたタイミングを示している。ビデオカメラ１の制御ユニットは、第２の検出スイッチ１１がオフ状態であって、録音レベル設定ダイアル２が回転操作されたことをトリガーにして、状態ｓ２で固定された録音レベルを解除する。
【００４１】
つまり、ロックノブ５ａをロックポジションからマニュアルポジションに操作しても、録音レベル設定ダイアル２を操作しない限り、設定した録音レベルは状態ｓ２で設定した録音レベルを維持する構成としている。もし、第２の検出スイッチ１１がオフとなると同時に状態ｓ２で設定した録音レベルを解除する構成にしてしまうと、マニュアルポジションに戻したときに、録音レベルが変化してしまう。すなわち、ロックポジションからマニュアルポジションに戻したときに録音レベルが変化してしまうと、使用者が認識している録音レベルとは異なる録音レベルとなってしまう。
【００４２】
しかし、本実施形態のように、ロックポジションからマニュアルポジションに戻した後、録音レベル設定ダイアル２を回転操作したタイミングで、固定された録音レベルを解除すれば、上述のような問題は回避することができる。
【００４３】
以上、本発明をビデオカメラに適用した例について詳述してきたが、本発明はこの発明の要旨を逸脱しないビデオカメラ以外の電子機器に対しても、適用可能である。
【符号の説明】
【００４４】
２  録音レベル設定ダイアル
２ａ  第１のギア部
５  ロック操作部材
５ａ  ロックノブ
５ｂ  ロックノブ溝部
５ｃ  突起部
５ｄ  当接部
１０  第１の検出スイッチ
１１  第２の検出スイッチ
１３  係止ロック部材
１３ａ  第２のギア部
１３ｂ  突出部
【図１】
0005570261.tif 000002
【図２】
0005570261.tif 000003
【図３】
0005570261.tif 000004
【図４】
0005570261.tif 000005
【図５】
0005570261.tif 000006
【図６】
0005570261.tif 000007